(57)【要約】【課題】例えば、地雷処理用爆索の投射に用いる場合において、装備体系を単純化することができると共に、現地に赴く際の携行装備質量を大幅に減らすことが可能である索投射装置を提供する。【解決手段】所定の長さを有しかつ互いに連結可能とした複数の爆索２と、爆索２を牽引して所定距離飛翔する同一仕様の索牽引ロケット４を複数備え、アダプタ６を介して複数の索牽引ロケット４同士を互いに連結可能とした。この索投射装置１を用いて、必要とする爆索２の展張距離が１本の爆索２の長さ以上の状況下で爆索２を投射するに際しては、必要とする爆索２の展張距離に対応した本数の爆索２を互いに連結すると共に、この連結した爆索２を牽引するのに必要な個数の索牽引ロケット４同士を互いに連結し、この索牽引ロケット４の射角調整を行った後、索牽引ロケット４を発射して爆索２を投射する。【選択図】図１
2006153323.tif 000002
【特許請求の範囲】
【請求項１】
所定の長さを有しかつ互いに連結可能とした複数の索と、上記索を牽引して所定距離飛翔する同一仕様の索牽引ロケットを複数備え、複数の索牽引ロケット同士を互いに連結可能としたことを特徴とする索投射装置。
【請求項２】
索牽引ロケット同士を互いに連結するアダプタを備えている請求項１に記載の索投射装置。
【請求項３】
発射角度を調整可能としたロケットランチャを備えている請求項１又は２に記載の索投射装置。
【請求項４】
請求項１〜３のいずれかに記載の索投射装置を用いて、必要とする索の展張距離が１本の索の長さ以上の状況下で索を投射するに際して、必要とする索の展張距離に対応した本数の索を互いに連結すると共に、この連結した索を牽引するのに必要な個数の索牽引ロケット同士を互いに連結し、この索牽引ロケットの射角調整を行った後、索牽引ロケットを発射して索を投射することを特徴とする索投射装置を用いた索投射方法。
【発明の詳細な説明】
【技術分野】
【０００１】
本発明は、地雷原の地雷の除去に際して爆薬を具備した爆索を地雷原に敷いたり、救助に際して遠方に索を掛け渡したりするのに用いられるほか、不審船舶の航行を妨害する際や停船させる際に妨害網を展開するのに利用される索投射装置に関するものである。
【背景技術】
【０００２】
従来、例えば、上記したような地雷処理用爆索の投射装置としては、互いに同じ長さの複数本の爆索と、爆索を牽引して飛翔する牽引ロケットを備えたものがあり、この爆索投射装置には、通常、短距離用や遠距離用のレンジの異なる複数種類の牽引ロケットが備えられている。
【０００３】
この爆索投射装置において、地雷原の地雷処理縦深（地雷を処理するために必要な爆索長さ）及びスタンドオフ（発射点から地雷原までの距離）が短く、１本の爆索で事足りる場合には、短距離用の牽引ロケットで１本の爆索を牽引して投射展張する。一方、地雷原の地雷処理縦深及びスタンドオフが長く、１本の爆索で事足りない場合には、複数本の爆索を互いに連結してその状況に対応した長さに調整した後、この連結した爆索を遠距離用の牽引ロケットで牽引して投射展張する。
【特許文献１】実公平４−１２３９１号
【非特許文献１】「最新防衛技術大成」（株）Ｒ＆Ｄプランニング発行、昭和６０年２月１１日、ｐ．６２２−６２３
【発明の開示】
【発明が解決しようとする課題】
【０００４】
ところが、従来の索投射装置において、例えば、上記した地雷処理用爆索の投射装置の場合、地雷原の地形などの状況、すなわち、地雷原の地雷処理縦深及びスタンドオフを事前に把握することがほぼ不可能であることから、現地に赴く際には、地雷原の様々な状況に対応するために、短距離用や遠距離用のレンジの異なる複数種類の牽引ロケットを常時携行する必要があり、その結果、装備体系の複雑化及び携行装備質量の肥大化を招いてしまうという問題があり、この問題を解決することが従来の課題となっていた。
【０００５】
本発明は、上記した従来の課題に着目してなされたもので、例えば、地雷処理用爆索の投射に用いる場合において、装備体系を単純化することができると共に、現地に赴く際の携行装備質量を大幅に減らすことが可能である索投射装置を提供することを目的としている。
【課題を解決するための手段】
【０００６】
本発明の索投射装置は、所定の長さを有しかつ互いに連結可能とした複数の索と、上記索を牽引して所定距離飛翔する同一仕様の索牽引ロケットを複数備え、複数の索牽引ロケット同士を互いに連結可能とした構成としており、この索投射装置の構成を従来の課題を解決するための手段としている。
【０００７】
また、本発明の索投射方法は、上記索投射装置を用いて、必要とする索の展張距離が１本の索の長さ以上の状況下で索を投射するに際して、必要とする索の展張距離に対応した本数の索を互いに連結すると共に、この連結した索を牽引するのに必要な個数の索牽引ロケット同士を互いに連結し、この索牽引ロケットの射角調整を行った後、索牽引ロケットを発射して索を投射する構成としており、この索投射方法の構成を従来の課題を解決するための手段としている。
【発明の効果】
【０００８】
本発明の索投射装置によれば、上記した構成としているので、例えば、地雷処理用爆索の投射に用いる場合において、装備体系の単純化を実現することができるうえ、現地に赴く際の携行装備質量の大幅な低減をも実現することが可能であるという非常に優れた効果がもたらされる。
【発明を実施するための最良の形態】
【０００９】
本発明の索投射装置において、索牽引ロケット同士の連結には、索牽引ロケット同士を束ねた状態で連結し得るアダプタを用いることが望ましい。
【００１０】
また、本発明の索投射装置において、索牽引ロケットの発射にはロケットランチャを用いることができ、索牽引ロケットを単独で発射する場合及び複数の索牽引ロケット同士を連結して発射する場合のいずれの場合にも用い得るように、発射角度を調整可能としたロケットランチャを用いることが望ましい。
【実施例】
【００１１】
以下、本発明を図面に基づいて説明する。
【００１２】
図１及び図２は本発明に係わる索投射装置の一実施例を示しており、この実施例では、本発明に係わる索投射装置が、地雷処理用の爆薬を具備した爆索の投射装置である場合を示す。
【００１３】
図１に示すように、この爆索投射装置１は、所定の長さを有しかつ互いに連結可能とした複数の爆索２と、発射角度を調整可能としたロケットランチャ３と、上記爆索２を牽引してロケットランチャ３から発射される索牽引ロケット４を備えており、爆索２は、いずれも容器５に引き出し可能に収納してある。
【００１４】
索牽引ロケット４は、搭載した燃料の短時間燃焼により生じる推力を得て発射され、燃料の燃焼終了後は慣性力で目標まで飛翔するようになっている。この爆索投射装置１において、同一仕様の索牽引ロケット４を複数備えており、アダプタ６を介して複数の索牽引ロケット４同士を束ねた状態で連結することができるようにしてある。
【００１５】
この爆索投射装置１において、図２に示すように、地雷原Ａの地雷処理縦深（地雷を処理するために必要な爆索長さ）Ｌ及びスタンドオフ（発射点から地雷原までの距離）ＳＯが短く、１本の爆索２だけで事足りる場合には、複数備えた同一仕様の索牽引ロケット４のうちの一つの牽引ロケット４に１本の爆索２を連結して、ロケットランチャ３により索牽引ロケット４の射角調整を行った後、この索牽引ロケット４をロケットランチャ３から発射して爆索２を投射展張する。
【００１６】
一方、図１に示すように、地雷原Ａの地雷処理縦深Ｌ及びスタンドオフＳＯが長く、１本の爆索２で事足りない場合には、複数本（図示例では２本）の爆索２を互いに連結して状況に対応した長さに調整すると共に、この連結した爆索２を牽引するのに必要な推力を得るために複数（図示例では２個）の索牽引ロケット４同士をアダプタ６を介して互いに連結し、長さ調整した爆索２と束ねて推力をアップさせた牽引ロケット４とを連結して、ロケットランチャ３により索牽引ロケット４の射角調整を行った後、この索牽引ロケット４をロケットランチャ３から発射して爆索２を投射展張する。
【００１７】
ここで、地雷原Ａの地形などの状況、すなわち、地雷原Ａの地雷処理縦深Ｌ及びスタンドオフＳＯを事前に把握することはほぼ不可能であるが、上記したように、この実施例の爆索投射装置１では、所定の長さを有しかつ互いに連結可能とした複数の爆索２を備えているのに加えて、互いに連結可能とした同一仕様の索牽引ロケット４を複数備えているので、現地に赴くに際して、短距離用や遠距離用のレンジの異なる複数種類の牽引ロケットを携行しなくても、地雷原Ａの様々な状況に対応することができ、したがって、装備体系の単純化及び携行装備質量の低減が図られることとなる。
【産業上の利用可能性】
【００１８】
上記した実施例では、本発明に係わる索投射装置が、地雷処理用の爆薬を具備した爆索の投射装置である場合を示したが、これに限定されるものではなく、本発明に係わる索投射装置を、例えば、河川の対岸に索を掛け渡して往来を可能にする救助に用いたり、調査捕鯨に用いたりすることが可能であるほか、不審船舶の航行を妨害する場合や停船させる場合に妨害用の網を展開するのに採用することが可能である。
【図面の簡単な説明】
【００１９】
【図１】本発明の索投射装置の一実施例を示す地雷原の地雷処理縦深及びスタンドオフが長い場合の爆索の投射状況説明図である。
【図２】図１の索投射装置による地雷原の地雷処理縦深及びスタンドオフが短い場合の爆索の投射状況説明図である。
【符号の説明】
【００２０】
１  爆索投射装置（索投射装置）
２  爆索（索）
３  ロケットランチャ
４  索牽引ロケット
６  アダプタ
【図１】
2006153323.tif 000003
【図２】
2006153323.tif 000004